(57)【要約】【課題】小さいコストで高品質の塗装成形品が得られる塗装成形品の製造方法を提供する。【解決手段】射出成形機（２）によって成形品を成形する射出成形工程と、成形品を成膜装置（３）によって成膜する成膜工程と、塗装装置（４）によって塗装する塗装工程とから塗装成形品を製造する塗装成形品の製造方法として構成する。本発明の製造方法においては、塗装装置（４）は全体を気密的な筐体で被覆する。そして装置内に成形品を出し入れする開口部（１８、１９）を１カ所または２カ所設ける。開口部（１８、１９）は射出成形機（２）から１．５ｍ以上離間させるようにする。そして少なくとも成形品を内部に入れるための開口部（１８）は射出成形機（２）から５ｍ以内になるようにする。また成形品は搬送装置（５）によって搬送する。【選択図】図１
2016077952.tif 000002
【特許請求の範囲】
【請求項１】
射出成形機によって成形品を成形する射出成形工程と、成形品を塗装装置によって塗装する塗装工程とから塗装成形品を製造するとき、前記塗装装置は全体を筐体で覆うと共に装置内に成形品を出し入れする開口部を１カ所または２カ所設け、該開口部は前記射出成形機から１．５ｍ以上離間させると共に成形品を内部に入れるための前記開口部は前記射出成形機から５ｍ以内になるようにし、前記射出成形工程によって成形された成形品は所定の搬送装置によって前記塗装装置に搬送することを特徴とする塗装成形品の製造方法。
【請求項２】
請求項１に記載の製造方法において、前記塗装工程において使用する塗料は溶剤系ＵＶ塗料であり、前記塗装工程は成形品に溶剤系ＵＶ塗料を塗布する塗布工程と、成形品に紫外線を照射して塗布された溶剤系ＵＶ塗料を固化させて成形品にコーティング層を形成する紫外線照射工程とからなることを特徴とする塗装成形品の製造方法。
【請求項３】
請求項２に記載の製造方法において、前記塗装工程は前記塗布工程後に成形品を加熱して乾燥させる乾燥工程を実施し、その後前記紫外線照射工程を実施することを特徴とする塗装成形品の製造方法。
【請求項４】
請求項２または３に記載の製造方法において、前記射出成形工程の次に、成膜装置によって成形品の表面に金属の膜を形成する成膜工程を実施し、その後前記塗装工程を実施するようにし、前記射出成形工程によって成形された成形品は所定の搬送装置によって前記成膜装置に搬送するようにし、前記成膜装置において金属の膜が形成された成形品は所定の搬送装置によって前記塗装装置に搬送するようにすることを特徴とする塗装成形品の製造方法。
【請求項５】
成形品を成形する射出成形機と、成形品を塗装する塗装装置と、成形品を搬送する１台または複数台の搬送装置とからなる塗装成形品の製造装置であって、
前記塗装装置は全体が筐体で被覆されていると共に装置内に成形品が出し入れされる開口部が１カ所または２カ所設けられ、該開口部は前記射出成形機から１．５ｍ以上離間していると共に成形品が内部に入れられるための前記開口部は前記射出成形機から５ｍ以内になるように配置され、前記射出成形機で成形された成形品は前記搬送装置によって前記塗装装置に搬送されて塗装されることを特徴とする塗装成形品の製造装置。
【請求項６】
請求項５に記載の製造装置において、前記塗装装置はその内部に、成形品に溶剤系ＵＶ塗料が塗布される塗布室と、成形品に紫外線が照射されて塗布された溶剤系ＵＶ塗料が固化されて成形品にコーティング層が形成される紫外線照射室とを備えていることを特徴とする塗装成形品の製造装置。
【請求項７】
請求項５に記載の製造装置において、前記塗装装置は溶剤系ＵＶ塗料が塗布された成形品が加熱されて乾燥される乾燥室を備えていることを特徴とする塗装成形品の製造装置。
【請求項８】
請求項６または７に記載の製造装置は、成形品に金属の薄膜が形成される成膜装置を備え、前記射出成形機で成形された成形品は前記搬送装置で前記成膜装置に搬送されて成膜され、成膜された成形品は前記搬送装置によって前記塗装装置に搬送されて塗装されることを特徴とする塗装成形品の製造装置。
【発明の詳細な説明】
【技術分野】
【０００１】
本発明は、射出成形により成形後、その表面に塗装を施して塗装された成形品を得る塗装成形品の製造方法、および製造装置に関するものである。
【背景技術】
【０００２】
射出成形により得られる樹脂製の成形品に、必要に応じて表面に塗料を塗布することがある。このような塗装成形品は、例えば美観を目的として所望の色の塗料が塗布されている。塗料には、一般的にいわゆるシンナーが溶剤として含まれており、成形品の表面に塗布した後に所定時間乾燥して溶剤を飛ばすと塗装成形品が得られる。ところで塗装成形品に塗布する塗料には、成形品の表面に傷がつきにくくなるようにすることを目的として、硬い樹脂のコーティング層を形成するような塗料もあり、そのような塗料として紫外線によって硬化するＵＶ塗料が周知である。ＵＶ塗料は、重合性二重結合を持つアクリル系オリゴマー、重厚性アクリル系モノマー、光重合開始剤を必須の成分としており、必要により顔料や添加剤が添付されている。ＵＶ塗料を塗布後、紫外線を照射すると塗料が硬化する。ところでＵＶ塗料には、溶剤が含まれている溶剤系ＵＶ塗料と、溶剤を一切含まない非溶剤系ＵＶ塗料とがある。後者の非溶剤系ＵＶ塗料は、塗料を塗布後、そのまま紫外線を照射するだけで塗料が硬化するようになっているが、前者の溶剤系ＵＶ塗料は、塗料を塗布後、乾燥により溶剤を飛ばした後に紫外線を照射する必要がある。しかしながら溶剤系ＵＶ塗料は、粘性が低く塗布が容易であるという利点がある。さらには、溶剤を含んでいるので硬い種類の樹脂を含有させることができるので、硬度の高いコーティング層が得られるという利点もある。これに対して非溶剤系ＵＶ塗料は溶剤を含んでいないので乾燥させる必要はなく、紫外線を照射するだけで塗料を固化できるので手軽であるが、塗布が容易でないので樹脂性の成形品にコーティング層を形成する用途には適さない。
【先行技術文献】
【特許文献】
【０００３】
【特許文献１】特開２０１３−８６４２７号公報
【０００４】
特許文献１には、塗装成形品ではないが、表面に金属の薄膜を有する成形品を得る製造装置が記載されている。このような薄膜を有する成形品は、例えば自動車に装備されるフロントランプ、デジタルデータを記録するＣＤ／ＤＶＤ等があり、スパッタリング方法、蒸着方法、イオンプレーティング方法、プラズマ成膜方法等を実施する成膜装置において、ワークである成形品に成膜して得られる。特許文献１に記載の製造装置は、成形品を成形する射出成形機と、成形品に成膜する成膜装置と、成形品を搬送する第１、２の搬送装置と、一時的な成形品の置き場であるテンポラリステージとから構成されている。一般的に射出成形機における成形サイクルは短時間で済み、成膜装置における成膜工程は長時間必要である。そこで、特許文献１に記載の製造装置においては、射出成形機において成形サイクルを実施して成形品が得られる毎に第１の搬送装置が成形品を射出成形機から取り出してテンポラリステージに搬送し、テンポラリステージにプールする。そして、第２の搬送装置は、複数の成形サイクル分の成形品を一括で成膜装置に搬送し、成膜装置ではこれらを一括で成膜する。従って、射出成形機も成膜装置も無駄な待ち時間が生じること無く高い稼働率で運転できる。特許文献１に記載の製造装置によって製造すると、成形品を得て成膜するまでに作業者の手が成形品に触れることがないので、手垢や油がつくことがなく、薄膜を有する成形品の品質が高く維持される。
【発明の概要】
【発明が解決しようとする課題】
【０００５】
前記したように塗装成形品を得る場合、射出成形機によって成形品を得た後に、成形品に塗料を塗布する。そして塗料を塗布後に乾燥させて溶剤を飛ばす必要がある。塗装装置は色々なタイプのものがあるが、塗料をスプレーによって塗布する塗布室と、塗布された成形品を乾燥する乾燥室とを備えたものが一般的である。溶剤系ＵＶ塗料によりコーティングする場合には、塗布室と乾燥室の他に紫外線を照射して塗料を硬化させる紫外線照射室も備えている。このような塗装装置は、溶剤が気化して発生したガスが周辺環境を汚染しないように全体が筐体によって覆われ、筐体内の空気を外部に排出するためのファンとダクトとが設けられている。筐体には成形品が搬入される入口と、塗装済みの塗装成形品が搬出される出口とが設けられている。塗装装置において入口から成形品を投入すると、内部の所定の搬送装置によって搬送されて、塗布室にて塗料が塗布され、乾燥室にて乾燥され、そしてＵＶ塗料の場合には、さらに紫外線照射室にて紫外線が照射される。このようにして得られた塗装成形品は出口から外部に搬送される。
【０００６】
ところで射出成形機と塗装装置は、一般的に工場内において互いに十分に隔離されて配置されている。従って塗装成形品を得る場合には、射出成形機で成形された成形品を作業者が塗装装置まで搬送する必要がある。しかしながらこのようにすると、成形品に手垢や油、ゴミが付着して成形品の表面が汚染される危険がある。また塗装されるまでに時間が経つと成形品が完全に冷却しまい表面に水分が付着する虞もある。このように成形品の表面が汚染されたり水分が付着すると、塗装が適切にできなかったり、美観を損なうことがあり、品質の高い塗装成形品が得られる保証がない。さらには、射出装置と塗装装置が隔離されていると搬送にコストがかかる。
【０００７】
そこで例えば、特許文献１に記載の製造装置における成膜装置のように、射出成形機と塗装装置を近接して配置し、搬送装置によって成形品を射出成形機から塗装装置に搬送するようにすれば、成形品が塗装前に汚染されることがなく、品質の高い塗装成形品が得られそうである。しかしながらこのように塗装装置を配置する場合、特許文献１における成膜装置には無かった危険が生じる。具体的には溶剤のガスによる爆発の危険である。射出成形機は、加熱シリンダを高温に加熱するヒータが設けられていると共に、可燃性の樹脂が燃焼し易い溶融状態になっている。さらには油圧式で駆動される射出成形機の場合には機械油が大量に存在する。このような射出成形機の周囲に引火性のある溶剤のガスが充満すると爆発および火災の危険が生じる。前記したように塗装装置はファンとダクトとによって装置外に溶剤のガスが拡散しないように留意されてはいる。また工場には工場内の空気が所定の空気齢で新鮮な空気に入れ替えられるように換気装置が設けられている。そうすると爆発の危険は比較的小さいとも考えられるが、塗装装置は入口と出口が開口しているのでこれらから外部に漏れる溶剤のガスは完全には防止できないし、塗装装置のファンが故障したりダクトが詰まったり、あるいは工場の換気装置に異常が発生する可能性もある。そうすると防爆の観点によって、射出成形機と塗装装置とを隣接して配置することは技術常識として危険である。つまり、特許文献１に記載の製造装置における射出成形機と成膜装置のように、射出成形機と塗装装置とを隣接して配置することは危険が高い。
【０００８】
本発明は、塗装される成形品に手垢、塵埃が付着したり、水分が吸着されることがなく、小さいコストで高品質の塗装成形品を得ることができる塗装成形品の製造方法、および塗装成形品の製造装置を提供することを目的としている。
【課題を解決するための手段】
【０００９】
本発明は上記目的を達成するために、射出成形機によって成形品を成形する射出成形工程と、成形品を塗装装置によって塗装する塗装工程とから塗装成形品を製造する塗装成形品の製造方法として構成する。本発明の製造方法においては、塗装装置は全体を気密的な筐体で被覆する。そして装置内に成形品を出し入れする開口部を１カ所または２カ所設ける。開口部は射出成形機から１．５ｍ以上離間させるようにする。そして少なくとも成形品を内部に入れるための開口部は前記射出成形機から５ｍ以内になるようにする。また射出成形工程によって成形された成形品は所定の搬送装置によって塗装装置に搬送するように構成する。
【００１０】
すなわち請求項１に記載の発明は、上記目的を達成するために、射出成形機によって成形品を成形する射出成形工程と、成形品を塗装装置によって塗装する塗装工程とから塗装成形品を製造するとき、前記塗装装置は全体を筐体で覆うと共に装置内に成形品を出し入れする開口部を１カ所または２カ所設け、該開口部は前記射出成形機から１．５ｍ以上離間させると共に成形品を内部に入れるための前記開口部は前記射出成形機から５ｍ以内になるようにし、前記射出成形工程によって成形された成形品は所定の搬送装置によって前記塗装装置に搬送することを特徴とする塗装成形品の製造方法として構成される。
請求項２に記載の発明は、請求項１に記載の製造方法において、前記塗装工程において使用する塗料は溶剤系ＵＶ塗料であり、前記塗装工程は成形品に溶剤系ＵＶ塗料を塗布する塗布工程と、成形品に紫外線を照射して塗布された溶剤系ＵＶ塗料を固化させて成形品にコーティング層を形成する紫外線照射工程とからなることを特徴とする塗装成形品の製造方法として構成される。
請求項３に記載の発明は、請求項２に記載の製造方法において、前記塗装工程は前記塗布工程後に成形品を加熱して乾燥させる乾燥工程を実施し、その後前記紫外線照射工程を実施することを特徴とする塗装成形品の製造方法として構成される。
請求項４に記載の発明は、請求項２または３に記載の製造方法において、前記射出成形工程の次に、成膜装置によって成形品の表面に金属の膜を形成する成膜工程を実施し、その後前記塗装工程を実施するようにし、前記射出成形工程によって成形された成形品は所定の搬送装置によって前記成膜装置に搬送するようにし、前記成膜装置において金属の膜が形成された成形品は所定の搬送装置によって前記塗装装置に搬送するようにすることを特徴とする塗装成形品の製造方法として構成される。
【００１１】
請求項５に記載の発明は、成形品を成形する射出成形機と、成形品を塗装する塗装装置と、成形品を搬送する１台または複数台の搬送装置とからなる塗装成形品の製造装置であって、前記塗装装置は全体が筐体で被覆されていると共に装置内に成形品が出し入れされる開口部が１カ所または２カ所設けられ、該開口部は前記射出成形機から１．５ｍ以上離間していると共に成形品が内部に入れられるための前記開口部は前記射出成形機から５ｍ以内になるように配置され、前記射出成形機で成形された成形品は前記搬送装置によって前記塗装装置に搬送されて塗装されることを特徴とする塗装成形品の製造装置として構成される。
請求項６に記載の発明は、請求項５に記載の製造装置において、前記塗装装置はその内部に、成形品に溶剤系ＵＶ塗料が塗布される塗布室と、成形品に紫外線が照射されて塗布された溶剤系ＵＶ塗料が固化されて成形品にコーティング層が形成される紫外線照射室とを備えていることを特徴とする塗装成形品の製造装置として構成される。
請求項７に記載の発明は、請求項５に記載の製造装置において、前記塗装装置は溶剤系ＵＶ塗料が塗布された成形品が加熱されて乾燥される乾燥室を備えていることを特徴とする塗装成形品の製造装置として構成される。
請求項８に記載の発明は、請求項６または７に記載の製造装置は、成形品に金属の薄膜が形成される成膜装置を備え、前記射出成形機で成形された成形品は前記搬送装置で前記成膜装置に搬送されて成膜され、成膜された成形品は前記搬送装置によって前記塗装装置に搬送されて塗装されることを特徴とする塗装成形品の製造装置として構成される。
【発明の効果】
【００１２】
以上のように本発明は、射出成形機によって成形品を成形する射出成形工程と、成形品を塗装装置によって塗装する塗装工程とから塗装成形品を製造するとき、塗装装置は全体を筐体で覆うと共に装置内に成形品を出し入れする開口部を１カ所または２カ所設け、該開口部は射出成形機から１．５ｍ以上離間させると共に成形品を内部に入れるための開口部は射出成形機から５ｍ以内になるようにしている。そして射出成形工程によって成形された成形品は所定の搬送装置によって塗装装置に搬送する。つまり射出成形工程によって成形された成形品は、短い距離だけ搬送され、搬送装置によって人手を介さずに搬送される。従って成形品は手垢や塵埃が付着することがなく、クリーンな状態で塗装されることになる。これによって高品質の塗装成形品が得られる。また人手を介さずに済むのでコストが小さくなる。そして塗装装置を射出成形機に近接させる場合に考えられる爆発の危険も、塗装装置を全体的に筐体で覆う点、および装置の開口部を射出成形機から１．５ｍ以上離間させる点、の２点によって確実に防止することができる。つまり安全も確保されることになる。他の発明によると、塗装工程において使用する塗料は溶剤系ＵＶ塗料であり、塗装工程は成形品に溶剤系ＵＶ塗料を塗布する塗布工程と、成形品に紫外線を照射して塗布された溶剤系ＵＶ塗料を固化させて成形品にコーティング層を形成する紫外線照射工程とからなる。そうすると硬いコーティング層を成形品に形成することができるので、表面に傷が付きにくい高品質の塗装成形品が得られる。また他の発明によると、塗装工程は塗布工程後に成形品を加熱して乾燥させる乾燥工程を実施し、その後紫外線照射工程を実施するので、塗装工程のスピードアップが図られ、生産効率が高くなる。さらに他の発明によると、射出成形工程の次に、成膜装置によって成形品の表面に金属の膜を形成する成膜工程を実施し、その後塗装工程を実施するようにし、射出成形工程によって成形された成形品は所定の搬送装置によって成膜装置に搬送するようにし、成膜装置において金属の膜が形成された成形品は所定の搬送装置によって塗装装置に搬送するように構成されている。そうすると成形品には金属の膜とコーティング層とが形成されることになり、美観に優れた塗装成形品が得られ、この製造方法においては成形品の搬送は人手を介さずに搬送装置によって行われるので、確実に高品質の塗装成形品が得られる。
【図面の簡単な説明】
【００１３】
【図１】本発明の実施の形態に係る塗装成形品の製造装置を模式的に示す平面図である。
【図２】溶剤の気化源が設けられたとき、無風状態で該気化源から気化した溶剤のガスが拡散する様子を模式的に示す図で、その（ア）（イ）はそれぞれ気化源が点状になっている場合と、面状になっている場合についての溶剤のガスの拡散する様子を示す模式図である。
【図３】シンナーの主成分であるトルエンが無風状態で空気中に拡散するとき、気化源からの距離に応じたトルエンの濃度の分布を示すグラフである。
【発明を実施するための形態】
【００１４】
以下、本発明の実施の形態を説明する。本発明の実施の形態に係る塗装成形品の製造装置１は、図１に示されているように、射出成形工程により成形品を成形する射出成形機２と、スパッタリング方法により成形品に金属の薄膜を形成する成膜装置３と、薄膜が形成された成形品に塗装によりコーティング層を形成する塗装装置４と、成形品を搬送する搬送装置５と、成形品を一時的にプールするテーブルであるテンポラリステージ６とから構成されている。
【００１５】
射出成形機２は、型締装置がトグル式のタイプ、直圧式のタイプ等色々採用できるし、射出装置もスクリュ式のもの、プランジャ式のもの等ありいずれを採用してもよい。しかしながら本実施の形態における射出成形機２は、スクリュ式の射出装置を備えたトグル式射出成形機からなり、一対の金型９ａ、９ｂ、これらの金型９ａ、９ｂを型締めする型締装置１０、材料の樹脂を溶融して型締めされた金型９ａ、９ｂに射出する射出装置１１等から構成されている。本実施の形態に係る射出成形機２は、２０秒で１回射出成形を実施することができる。つまり１分間に射出成形工程を３回分実施することができ、１分当たり３個の成形品を成形することができる。
【００１６】
成膜装置３は、スパッタリング成膜装置、電子ビーム蒸着装置、イオンプレーティング成膜装置等の周知の装置から構成することができ、またスパッタリング成膜装置から構成する場合でも、成形品に金属膜を成膜後にさらにプラズマ重合により重合膜からなる保護膜を形成するような複合的な処理を行う装置から構成することもできる。本実施の形態において、成膜装置３はスパッタリング成膜装置からなり、図１に装置内部は示されていないが、成形品を入れて成膜する成膜室、成膜室の下部に設けられていて成形品を載せるための成膜台、成膜台と対向してその上方に設けられているターゲット電極、このターゲット電極に設けられているターゲット、ターゲット電極に直流電圧を供給する直流電源、成膜室から空気を吸引する真空源、不活性ガスタンクを成膜室に供給する不活性ガス供給源等から構成されている。ところで成膜装置３には、成膜室の内外にスライド可能な搬送台１２が設けられており、成形品を載せて成膜室内に搬送したり、成膜室内で成膜した成形品を外部に搬送することができる。本実施の形態に係る成膜装置３は、成膜工程に約１分を要するが、３個の成形品を一括で成膜することができるるようになっている。
【００１７】
本実施の形態において、塗装装置４は溶剤系ＵＶ塗料を塗装して紫外線を照射して固化させることにより成形品に硬い樹脂からなるコーティング層を形成するようになっている。本実施の形態に係る塗装装置４は、内部が３部屋に分かれており、第１の部屋は溶剤系ＵＶ塗料を成形品にスプレーする塗布室１４に、第２の部屋は内部に設けられているヒータにより所定の高温に維持する乾燥室１５に、そして第３の部屋は内部に設けられている紫外線照射ランプによって成形品に紫外線を照射する紫外線照射室１６になっている。成形品は各部屋１４、１５、１６に順に搬送されて、所定の工程が実施されるとコーティング層が形成されるようになっている。つまり成形品は、塗布室１４において塗布工程が実施されて溶剤系ＵＶ塗料が塗布され、乾燥室１５において成形品に塗布された溶剤系ＵＶ塗料を乾燥させる乾燥工程が実施され、そして紫外線照射室１６において紫外線照射工程によって成形品に塗布された溶剤系ＵＶ塗料が固化し、コーティング層が形成される。
【００１８】
ところで塗装装置４において塗布される溶剤系ＵＶ塗料は、他の種類の塗料と同様に溶剤としていわゆるシンナーを含んでいる。シンナーはキシレン、メタノール、酢酸エチル等を含んでいるが、その主成分はトルエンである。これらの薬剤は人体に有害な劇物であると共に引火性を有するので、気化した溶剤のガスが外部に漏れないように塗装装置４は全体が気密的に筐体で覆われている。また、塗装装置４には、図１には示されていないが、装置内で気化した溶剤のガスを工場外に排出するダクトが設けられている。つまり有害な溶剤のガスは外部に漏れないように十分に留意されている。しかしながら筐体には、塗装装置４内に成形品を搬入したり、塗装後の塗装成形品を搬出するために入口１８と出口１９とが設けられている。これらは、溶剤のガスが外部に漏れる可能性のある開口部になる。一応ダクトにはファンが設けられているので、塗装装置４内は負圧になっている。従ってファンが駆動している限り、開口部から外部に漏れ出す溶剤のガスは微量である、あるいは実質的にほとんどない。本実施の形態における塗装装置４は、塗布工程、乾燥工程、紫外線照射工程からなる塗装工程を連続的に実施することができるようになっており、１分間に３個の成形品を塗装できるようになっている。
【００１９】
テンポラリステージ６は、射出成形工程で成形された成形品や、成膜装置３で成膜された成形品を一時的にプールするテーブルになっている。射出成形後の成形品は最大で３個、成膜装置３で成膜された成形品も最大で３個プールできるようになっている。図１において符号２１、２１、…は射出成形後の成形品を、符号２２、２２、…は成膜された成形品をそれぞれ示している。
【００２０】
搬送装置５は複数台から構成することもできるが、本実施の形態においては搬送装置５は１台から構成されている。搬送装置５は、製造装置１の上方に設けられているメインレール２４、メインレール２４に沿ってスライドするメインスライド装置２５、メインレール２４と直交するようにメインスライド装置２５に固定されているサブレール２６、サブレール２６に沿ってスライドするサブスライド装置２８、サブスライド装置２８に設けられていて成形品を把持するハンドラ装置２９等からなる。この搬送装置５によって、射出成形機２で成形された成形品を１個ずつテンポラリステージ６に搬送したり、テンポラリステージ６にプールされている３個の成形品を一括で成膜装置３に搬送したり、成膜装置３において成膜された成形品３個を一括でテンポラリステージ６に搬送したり、テンポラリステージ６の成膜された成形品を１個ずつ塗装装置４に搬送できるようになっている。
【００２１】
本実施の形態に係る製造装置１にはベルトコンベヤ３１が、塗装装置４に近接して配置されており、図に示されていない搬送装置によって塗装装置４によって塗装された塗装成形品がベルトコンベヤ３１に載せられ、ベルトコンベヤ３１によって外部に搬送されるようになっている。
【００２２】
本実施の形態に係る製造装置１は上記のように構成されているので、効率よく塗装成形品を製造することができる。つまり射出成形機２において射出成形サイクルを実施して成形品を得、その都度、搬送装置５によって成形品がテンポラリステージ６に搬送される。テンポラリステージ６上に３個の成形品がプールされたら搬送装置５によって３個の成形品を成膜装置３に搬送する。成膜装置３では３個の成形品を一括で成膜する成膜工程を実施する。成膜された成形品は搬送装置５によって再びテンポラリステージ６に搬送される。搬送装置５によって１個ずつ成膜された成形品が塗装装置４に搬送され、塗布工程、乾燥工程、紫外線照射工程を経てコーティングされた成形品、つまり塗装された塗装成形品が製造される。射出成形機２、成膜装置３、塗装装置４は、それぞれ並行して連続的に稼働するようになっており、効率的に塗装成形品が製造される。
【００２３】
本実施の形態に係る塗装成形品の製造装置１は、効率・クリーン性の確保の観点観点から、そして防爆の観点から射出成形機２と塗装装置４は所定の条件の下で配置されている。まず効率・クリーン性の確保の観点から、少なくとも塗装装置４の成形品の入口１８と射出成形機２の距離Ｄ１は５ｍ以内になるように配置されている。これによって装置２、３、４を搬送される成形品の移動距離が小さくなり、高い製造効率が確保されると共に成形品が途中で汚染される危険を小さくすることができるようになっている。一方防爆の観点から、塗装装置４の開口部つまり入口１８と出口１９のそれぞれの射出成形機２からの距離Ｄ１、Ｄ２は１．５ｍ以上になるように配置されている。以下、１．５ｍ以上とする条件を採用した理由について説明する。
【００２４】
本実施の形態に係る塗装成形品の製造装置１は工場に設置されるが、一般的に工場は換気装置が設けられており、所定の空気齢で工場内の空気が新鮮な空気に換気されるように設計されている。また前記したように、塗装装置４は引火性を有する溶剤を含む溶剤系ＵＶ塗料を扱っているが、筐体とダクトとファンとによって気化した溶剤のガスが外部に漏れることを防止している。従って正常な状態においては溶剤のガスは射出成形機２の周辺に充満することは無く爆発の危険はない。しかしながら、停電、故障等により工場の換気が停止したり、塗装装置４のファンが停止する可能性がある。これらの事象のうち１つが発生しても安全は維持される。例えば塗装装置４のファンが停止して塗装装置４の開口部である入口１８と出口１９とから溶剤のガスが外部に漏れ出しても工場の換気が正常に維持されていれば射出成形機２の周囲において溶剤のガスが爆発する濃度にまで達することはない。また工場の換気のみが停止しても安全は維持される。しかしながら、これらの事象が同時に発生すると塗装装置４の開口部から溶剤のガスが外部に漏れ出して射出成形機２の周囲まで拡散する可能性がある。工場内が実質的に無風状態になってしまうからである。このような場合における溶剤のガスの拡散と危険性について検討する。
【００２５】
無風状態の空気中で溶剤が液体の状態で露出していると、溶剤は気化して拡散する。つまり気化源となる。気化源が図２の（ア）の符号３３で示されているように点状になっている場合には、気化した溶剤のガスは球面状に同じ濃度の分布を示しながら周囲に拡散していく。これに対して気化源が図２の（イ）の符号３４で示されているように面状になっている場合には、気化した溶剤のガスは平面上に同じ濃度の分布を示しながら前方に拡散していく。図２の（ア）に示されているように球面状に拡散する場合には、球の半径が大きくなるに従ってその球の表面積は２乗に比例して大きくなるので気化源から離れるに従って急激に溶剤のガスの濃度は低下し拡散の速度は低下することが予想されるが、図２の（イ）に示されているように平面状に拡散する場合には、同じ面積を維持したままで拡散していくので、溶剤のガスの拡散の速度は速い。つまり図２の（ア）に示されるモデルよりも図２の（イ）に示されるモデルの方が溶剤のガスの拡散速度は速い。塗装装置４から溶剤のガスが外部に漏れる場合、開口部である入口１８と出口１９とからしか考えられないが、これらは点状の気化源であると言える。そうすると本来は図２の（ア）のモデルに従って拡散を考えるべきであるが、より条件の厳しい、つまりより拡散の速度が速くなると予測される図２の（イ）のモデルに従って拡散を検討する。
【００２６】
図２の（イ）のモデルにおいて、符号３４の気化源から順次並行に遠ざかる仮想的な仮想面ｉ−１、ｉ、ｉ＋１、…を考える。このとき隣り合う仮想面ｉ−１、ｉ、ｉ＋１の距離ｄは等しくなるように設定する。このような仮想面ｉ−１、ｉ、ｉ＋１、…によって、溶剤のガスの拡散を考える。仮想面ｉにおける所定の時刻ｔの溶剤のガスの濃度をＮ（ｉ、ｔ）とすると、仮想面ｉ−１、ｉ＋１のそれぞれの時刻ｔの濃度はそれぞれＮ（ｉ−１、ｔ）、Ｎ（ｉ＋１、ｔ）と表すことができる。ガスの拡散は、周知のようにフィックの法則に従うので、時刻ｔにおける仮想面ｉ−１から仮想面ｉに流入するガスの時間あたりの量Ｊ（ｉ−１、ｔ）は以下の式で与えられる。
Ｊ（ｉ−１、ｔ）＝−Ｄ×（Ｎ（ｉ、ｔ）−Ｎ（ｉ−１、ｔ））／ｄ    （１式）
ただし、Ｄ：気体拡散係数である。
同様に、時刻ｔにおける仮想面ｉから仮想面ｉ＋１に流出するガスの時間あたりの量Ｊ（ｉ、ｔ）は以下の式で与えられる。
Ｊ（ｉ、ｔ）＝−Ｄ×（Ｎ（ｉ＋１、ｔ）−Ｎ（ｉ、ｔ））／ｄ    （２式）
次に、時刻ｔ＋１における仮想面ｉの溶剤のガスの濃度Ｎ（ｉ、ｔ＋１）を考えると、時刻ｔにおける濃度Ｎ（ｉ、ｔ）に仮想面ｉ−１から仮想面ｉに流入したガスを加算して、仮想面ｉ＋１に流出したガスを減じればいいので、以下の式で与えられる。
Ｎ（ｉ、ｔ＋１）＝Ｎ（ｉ、ｔ）＋（Ｊ（ｉ−１、ｔ）−Ｊ（ｉ、ｔ））×ｋ    （３式）
ただし、ｋ：濃度を計算するための定数（時間幅の因子も含む）
【００２７】
このようにして得られた３式を基にして、溶剤のガスの拡散を計算機においてシミュレーションした。シミュレーションにおいては、溶剤はシンナーの主成分であるトルエンを対象とした。シミュレーションにおける条件は以下である。
気化源のトルエンの濃度Ｎ（０、ｔ）：  図２の（イ）の符号３４で示される気化源では、トルエンは常時飽和濃度になっているものとした。また飽和濃度は、乾燥装置４内の温度が５０℃であると仮定し、５０℃におけるトルエンの飽和蒸気圧０．０１２３ＭＰａと大気圧０．１０１ＭＰａとから、空気比で表したトルエンの飽和濃度は０．１２１７８を得た。つまり気化源のトルエンの濃度は０．１２１７８とした。
トルエンの気体拡散係数Ｄ：  ２５℃の空気中におけるトルエンの気体拡散係数は、０．０８５ｃｍ２／ｓとした。
隣り合う仮想面ｉ−１、ｉ、ｉ＋１の距離ｄ：  １０ｃｍとした。
以上の条件により、図２の（イ）に示されているモデルを使って１０秒周期で各仮想面ｉ−１、ｉ、ｉ＋１…におけるトルエンの濃度の変化を計算し、図３のグラフを得た。
【００２８】
グラフから時間経過と共にトルエンが塗装装置４の周辺に拡散していく様子が分かる。ところでトルエンは空気中で所定の濃度に達して引火すると爆発する危険がある。トルエンが爆発する可能性のある最低の濃度、つまり爆発限界は空気中で０．０１４であり、グラフ中で符号４０で示されている。トルエンの気化源から１００ｃｍの距離（符号４１）におけるトルエン濃度を読み取ると、３０分後には爆発限界に達してしまう。工場の換気が停止すると共に塗装装置４のファンが停止する可能性は非常に低いと考えられるが、このような事象が発生したときに、もしトルエンの気化源から１００ｃｍの距離に射出成形機２が設置されていると３０分後に爆発する可能性が高い。工場の換気異常等が発生すれば、工場の安全管理者はしかるべき対応をとるはずであるが対応をとるための余裕時間として３０分間は短いと言える。一方、トルエンの気化源から１５０ｃｍの距離（符号４２）におけるトルエン濃度を読み取ると６０分後においても爆発限界の濃度に達していない。そうするとトルエンの気化源から１５０ｃｍ以上離間して射出成形機２が設置されている場合には、上記のような事象が発生しても１時間以内に必要な対応をすれば爆発の危険はない。１時間は対応可能な時間として十分であると言える。そこで、トルエンの気化源から射出成形機２までの距離１５０ｃｍ以上を防爆の観点から安全の条件とした。トルエンの気化源となり得るのは塗装装置４の開口部、つまり入口１８と出口１９である。従って、これらがいずれも射出成形機２から１５０ｃｍ以上離間していることを条件とした。なお、トルエンは前記したように劇薬であり、安全面から空気中の濃度についてはさらに厳しい基準が設けられているが、爆発限界に比して遙かに低い濃度になっているので、考慮から除外した。
【００２９】
本実施の形態に係る製造装置１は色々な変形が可能である。例えば、製造装置１において成膜装置３を設けずに、射出成形機２において成形された成形品をそのまま塗装装置４に搬送してコーティングしてもよい。さらには塗装装置４は溶剤系ＵＶ塗料を塗布して紫外線照射によりコーティング層を形成するように説明したが、一般的な塗料を塗布する塗装装置であってもよい。このような場合であってもトルエンを主成分とするシンナーを溶剤とする塗料が使用されるはずであるので、本発明において設定した条件、つまり塗装装置の開口部から射出成形機２までの距離は１．５ｍ以上とする必要がある。
【符号の説明】
【００３０】
１    製造装置                    ２    射出成形機
３    成膜装置                    ４    塗装装置
５    搬送装置                    ６    テンポラリステージ
１４    塗布室                    １５    乾燥室
１６    紫外線照射室              １８    入口
１９    出口
【図１】
2016077952.tif 000003
【図２】
2016077952.tif 000004
【図３】
2016077952.tif 000005